(57)【要約】【課題】静音動作モードが設定されているときに、ユーザにカメラの発生音を聞かれることなしに防塵動作を行うことができる電子撮像装置を提供する。【解決手段】撮像動作に関連した音の発生を抑制する静音動作モードを有する電子撮像装置であって、被写体の光学像を結像する撮影光学系１２ａと、撮影光学系１２ａにより結像された光学像を電気信号に変換する撮像素子２７と、撮影光学系１２ａと撮像素子２７との間に配置され、撮像素子２７の光電変換面への塵埃等の付着を防止する防塵フィルタ２１と、防塵フィルタ２１を所定の周波数で振動させることにより防塵フィルタ２１に塵埃除去動作を行わせるボディ制御用マイクロコンピュータ１５０とを具備し、このマイクロコンピュータ１５０は、静音動作モードが選択されているか否かに応じて、異なる振動形態で防塵フィルタ２１を振動させる。【選択図】    図２
2004253873.tif 000002
【特許請求の範囲】
【請求項１】
撮像動作に関連した音の発生を抑制する静音動作モードを有する電子撮像装置であって、
被写体の光学像を結像する撮影光学系と、
上記撮影光学系により結像された光学像を電気信号に変換する光電変換手段と、
上記撮影光学系と上記光電変換手段との間に配置され、前記光電変換手段の光電変換面への塵埃等の付着を防止する防塵フィルタと、
前記防塵フィルタを所定の周波数で振動させることにより前記防塵フィルタに塵埃除去動作を行わせる制御手段と、
を具備し、
前記制御手段は、前記静音動作モードが選択されているか否かに応じて、異なる振動形態で前記防塵フィルタを振動させることを特徴とする電子撮像装置。
【請求項２】
前記制御手段は、前記静音動作モードが選択されているか否かに応じて、異なる駆動周波数で前記防塵フィルタを振動させることを特徴とする請求項１記載の電子撮像装置。
【請求項３】
前記制御手段は、前記静音動作モードが選択されている場合には、前記静音動作モードが選択されていない場合よりも高い駆動周波数で前記防塵フィルタを振動させることを特徴とする請求項２記載の電子撮像装置。
【請求項４】
前記制御手段は、前記静音動作モードが選択されている場合には可聴音を発生しない駆動周波数で前記防塵フィルタを振動させることを特徴とする請求項３記載の電子撮像装置。
【請求項５】
前記制御手段は、前記静音動作モードが選択されているか否かに応じて、前記防塵フィルタに進行波を発生させることと、前記防塵フィルタに定在波を発生させることのいずれかを行うことを特徴とする請求項１記載の電子撮像装置。
【請求項６】
前記防塵フィルタは複数の圧電素子を備え、前記制御手段は、前記静音動作モードが選択されている場合には前記複数の圧電素子に位相の異なる駆動電圧を印加し、前記静音動作モードが選択されていない場合には前記複数の圧電素子に同相の駆動電圧を印加することを特徴とする請求項５記載の電子撮像装置。
【請求項７】
撮像動作に関連した音の発生を抑制する静音動作モードを有する電子撮像装置であって、
被写体の光学像を結像する撮影光学系と、
上記撮影光学系により結像された光学像を電気信号に変換する光電変換手段と、
上記撮影光学系と上記光電変換手段との間に配置され、前記光電変換手段の光電変換面への塵埃等の付着を防止する防塵フィルタと、
前記防塵フィルタを所定の周波数で振動させることにより前記防塵フィルタに塵埃除去動作を行わせる制御手段と、
を具備し、
前記制御手段は、前記静音動作モードが選択されているか否かに応じて、前記防塵フィルタの塵埃除去動作を実行することと、前記防塵フィルタの塵埃除去動作を禁止することのいずれかを行うことを特徴とする請求項１記載の電子撮像装置。
【発明の詳細な説明】
【０００１】
【発明の属する技術分野】
本発明は電子撮像装置に関し、特に、例えばカメラシステムなどの構成部材に付着した塵埃を除去可能な防塵機能付きの電子撮像装置に関する。
【０００２】
【従来の技術】
従来、光学装置の防塵機能に関する技術の一例としては、撮像素子を保護する保護ガラス（防塵ガラス）を振動させることで、当該保護ガラスに付着した塵埃を払い落とす技術が知られている。例えば、特開２００２−２０４３７９には、保護ガラスを振動させる手段として圧電素子を用いることが開示されている。この圧電素子は印加電圧に反応して伸縮して保護ガラスを所定の１つの周期で加振するものである。
【０００３】
【発明が解決しようとする課題】
ところで、カメラムにはさまざまな撮影モードが存在するが、各々の撮像動作に伴ってカメラが発生する音をできるだけ抑制したいというニーズが存在する。このようなニーズに答えるために、撮像動作を静かに実行できる動作モード（以下、静音動作モード）を備えたカメラシステムが提案されている。
【０００４】
静音動作モードにおいては、音によるユーザへの告知動作を行わない。また、カメラの機構部材の駆動をメカニカルノイズが発生しないように行う、などの配慮がなされる。
【０００５】
ところで、塵埃を除去するために防塵ガラスを加振すれば、空気が振動することにより音が発生する。この加振する際に発生する音の周波数が可聴帯域にあるとユーザはこの音を聞き取ることになる。静音動作モードが設定されている際にこのような音が発生することは望ましくない。
【０００６】
本発明はこのような課題に着目してなされたものであり、その目的とするところは、静音動作モードが設定されているときに、ユーザにカメラの発生音を聞かれることなしに撮像動作を行うことができ、特に、静音動作モードが設定されているときに、ユーザにカメラの発生音を聞かれることなしに防塵動作を行うことができる電子撮像装置を提供することにある。
【０００７】
【課題を解決するための手段】
上記の目的を達成するために、第１の発明は、撮像動作に関連した音の発生を抑制する静音動作モードを有する電子撮像装置であって、被写体の光学像を結像する撮影光学系と、上記撮影光学系により結像された光学像を電気信号に変換する光電変換手段と、上記撮影光学系と上記光電変換手段との間に配置され、前記光電変換手段の光電変換面への塵埃等の付着を防止する防塵フィルタと、前記防塵フィルタを所定の周波数で振動させることにより前記防塵フィルタに塵埃除去動作を行わせる制御手段と、を具備し、前記制御手段は、前記静音動作モードが選択されているか否かに応じて、異なる振動形態で前記防塵フィルタを振動させる。
【０００８】
また、第２の発明は、第１の発明に係る電子撮像装置において、前記制御手段は、前記静音動作モードが選択されているか否かに応じて、異なる駆動周波数で前記防塵フィルタを振動させる。
【０００９】
また、第３の発明は、第２の発明に係る電子撮像装置において、前記制御手段は、前記静音動作モードが選択されている場合には、前記静音動作モードが選択されていない場合よりも高い駆動周波数で前記防塵フィルタを振動させる。
【００１０】
また、第４の発明は、第３の発明に係る電子撮像装置において、前記制御手段は、前記静音動作モードが選択されている場合には可聴音を発生しない駆動周波数で前記防塵フィルタを振動させる。
【００１１】
また、第５の発明は、第１の発明に係る電子撮像装置において、前記制御手段は、前記静音動作モードが選択されているか否かに応じて、前記防塵フィルタに進行波を発生させることと、前記防塵フィルタに定在波を発生させることのいずれかを行う。
【００１２】
また、第６の発明は、第５の発明に係る電子撮像装置において、前記防塵フィルタは複数の圧電素子を備え、前記制御手段は、前記静音動作モードが選択されている場合には前記複数の圧電素子に位相の異なる駆動電圧を印加し、前記静音動作モードが選択されていない場合には前記複数の圧電素子に同相の駆動電圧を印加する。
【００１３】
また、第７の発明は、撮像動作に関連した音の発生を抑制する静音動作モードを有する電子撮像装置であって、被写体の光学像を結像する撮影光学系と、上記撮影光学系により結像された光学像を電気信号に変換する光電変換手段と、上記撮影光学系と上記光電変換手段との間に配置され、前記光電変換手段の光電変換面への塵埃等の付着を防止する防塵フィルタと、前記防塵フィルタを所定の周波数で振動させることにより前記防塵フィルタに塵埃除去動作を行わせる制御手段と、を具備し、前記制御手段は、前記静音動作モードが選択されているか否かに応じて、前記防塵フィルタの塵埃除去動作を実行することと、前記防塵フィルタの塵埃除去動作を禁止することのいずれかを行う。
【００１４】
【発明の実施の形態】
以下、図面を参照して本発明の実施の形態について説明する。
【００１５】
図１は、本発明をデジタルカメラに適用した場合の実施の形態の概略的な構成を示す一部切り欠き斜視図である。
【００１６】
すなわち、図１は、カメラ本体の一部を切断して、その内部構成を概略的に示す斜視図である。
【００１７】
本実施形態のカメラ１は、それぞれが別体に構成されるカメラ本体部１１及びレンズ鏡筒１２とからなり、このカメラ本体部１１及びレンズ鏡筒１２の両者は、互いに着脱自在に構成されてなるものである。
【００１８】
そして、レンズ鏡筒１２は、複数のレンズやその駆動機構等からなる撮影光学系１２ａを内部に保持して構成されている。
【００１９】
この撮影光学系１２ａは、被写体からの光束を透過させることによって、当該被写光束により形成される被写体の像を所定の位置（後述する撮像素子の光電変換面上）に結像せしめるように、例えば、複数の光学レンズ等によって構成されるものである。
【００２０】
このレンズ鏡筒１２は、カメラ本体部１１の前面に向けて突出するように配設されている。
【００２１】
また、カメラ本体部１１は、内部に各種の構成部材等を備えて構成され、かつ撮影光学系１２ａを保持するレンズ鏡筒１２を着脱自在となるように配設するための連結部材である撮影光学系装着部１１ａをその前面に備えて構成されてなるいわゆる一眼レフレックス方式のカメラである。
【００２２】
つまり、カメラ本体部１１の前面側の略中央部には、被写体光束を当該カメラ本体部１１の内部へと導き得る所定の口径を有する露光用開口が形成されており、この露光用開口の周縁部に撮影光学系装着部１１ａが形成されている。
【００２３】
そして、このカメラ本体部１１の前面に上述の撮影光学系装着部１１ａが配設されているほか、上面部や背面部等の所定の位置にカメラ本体部１１を動作させるための各種の操作部材、例えば、撮像動作を開始せしめるための指示信号等を発生させるためのレリーズボタン１７等が配設されている。
【００２４】
このカメラ本体部１１の内部には、各種の構成部材、例えば、いわゆる観察光学系を構成するファインダ装置１３と、撮像素子の光電変換面への被写体光束の照射時間等を制御するシャッタ機構等を備えたシャッタ部１４と、被写体像に対応した画像信号を得る不図示の撮像素子及びこの撮像素子の光電変換面の前面側の所定の位置に配設され、当該光電変換面への塵挨等の付着を予防する防塵部材である防塵フィルタ（防塵ガラスともいう）２１等を含む撮像ユニット１５と、電気回路を構成する各種の電気部材が実装される主回路基板１６を始めとした複数の回路基板（主回路基板１６のみを図示している）等が、それぞれ所定の位置に配設されている。
【００２５】
ファインダ装置１３は、撮影光学系１２ａを透過した被写体光束の光軸を折り曲げて観察光学系の側へと導き得るように構成されるクイックリターンミラー１３ｂと、このクイックリターンミラー１３ｂから出射する光束を受けて正立正像を形成するペンタプリズム１３ａと、このペンタプリズム１３ａにより形成される像を拡大して観察するのに最適な形態の像を結像させる接眼レンズ１３ｃ等によって構成されている。
【００２６】
クイックリターンミラー１３ｂは、撮影光学系１２ａの光軸から退避する位置と当該光軸上の所定の位置との間で移動自在に構成され、通常状態においては、撮影光学系１２ａの光軸上において当該光軸に対して所定の角度、例えば、角度４５度を有して配置されている。
【００２７】
これにより、撮影光学系１２ａを透過した被写体光束は、当該カメラ１が通常状態にあるときには、クイックリターンミラー１３ｂによってその光軸が折り曲げられて、当該クイックリターンミラー１３ｂの上方に配置されるペンタプリズム１３ａの側へと反射されるようになっている。
【００２８】
一方、本カメラ１が撮像動作の実行中においては、当該クイックリターンミラー１３ｂは撮影光学系１２ａの光軸から退避する所定の位置に移動するようになっており、これによって、被写体光束は、撮像素子側へと導かれる。
【００２９】
また、シャッタ部１４は、例えば、フォーカルプレーン方式のシャッタ機構やその駆動回路等、従来のカメラ等において一般的に利用されているものと同様のものが適用される。
【００３０】
図２は、本発明に係わる一実施の形態のカメラのシステム構成を示すブロック図である。
【００３１】
すなわち、この実施の形態のカメラシステムは、カメラ本体１１と、交換レンズとしてのレンズ鏡筒１２とから主に構成されており、カメラ本体１１の前面に対して所望のレンズ鏡筒１２が着脱自在に装着されている。
【００３２】
レンズ鏡筒１２の制御は、レンズ制御用マイクロコンピュータ（以下、Ｌｕｃｏｍと称する）２０５が行う。
【００３３】
カメラ本体１１の制御は、ボディ制御用マイクロコンピュータ（以下、Ｂｕｃｏｍと称する）１５０が行う。
【００３４】
なお、これらＬｕｃｏｍ２０５とＢｕｃｏｍ１５０とは、合体時において通信コネクタ２０６を介して通信可能に電気的接続がなされる。
【００３５】
そして、この場合、カメラシステムとしてＬｕｃｏｍ２０５がＢｕｃｏｍ１５０に従属的に協働しながら稼動するようになっている。
【００３６】
また、レンズ鏡筒１２内には、撮影光学系１２ａと、絞り２０３とが設けられている。
【００３７】
この撮影光学系１２ａは、レンズ駆動機構２０２内に在る図示しないＤＣモータによって駆動される。
【００３８】
また、絞り２０３は、絞り駆動機構２０４内に在る図示しないステッピングモータによって駆動される。
【００３９】
Ｌｕｃｏｍ２０５は、Ｂｕｃｏｍ１５０からの指令に従って、これらの各モータを制御する。
【００４０】
そして、このカメラ本体１１内には、次の構成部材が図示のように配設されている。
【００４１】
例えば、光学系としての一眼レフレックス方式の構成部材（ペンタプリズム１３ａ、クイックリターンミラー１３ｂ、接眼レンズ１３ｃ、サブミラー１１４）と、光軸上のフォーカルプレーン式のシャッタ１１５と、上記サブミラー１４からの反射光束を受けて自動測距するためのＡＦセンサユニット１１６とが設けられている。
【００４２】
また、上記ＡＦセンサユニット１１６を駆動制御するＡＦセンサ駆動回路１１７と、上記クイックリターンミラー１３ｂを駆動制御するミラー駆動機構１１８と、上記シャッタ１１５の先幕と後幕を駆動するためのばね力をチャージするシャッタチャージ機構１１９と、それら先幕と後幕の動きを制御するシャッタ制御回路１２０と、上記ペンタプリズム１３ａからの光束に基づき測光処理する測光回路１２１とが設けられている。
【００４３】
光軸上には、上記光学系を通過した被写体像を光電変換するための撮像素子２７が光電変換素子として設けられている。
【００４４】
この場合、この撮像素子２７は、該撮像素子２７と撮影光学系１２ａとの間に配設された光学素子としての透明なガラス部材でなる防塵フィルタ２１によって保護されている。
【００４５】
そして、この防塵フィルタ２１を所定の周波数で振動させる加振手段の一部として、例えば、圧電素子２２がその防塵フィルタ２１の周縁部に取り付けられている。
【００４６】
また、圧電素子２２は２つの電極を有しており、この圧電素子２２が加振手段の一部としての防塵フィルタ駆動回路１４０によって防塵フィルタ２１を振動させ、そのガラス表面に付着していた塵を除去できるように構成されている。
【００４７】
なお、撮像素子２７の周辺の温度を測定するために、防塵フィルタ２１の近傍には、温度測定回路１３３が設けられている。
【００４８】
このカメラシステムには、また、撮像素子２７に接続されたインターフェース回路１２３と、液晶モニタ１２４と、記憶領域として設けられたＳＤＲＡＭ１２５と、ＦｌａｓｈＲＯＭ１２６及び記録メディア１２７などを利用して画像処理する画像処理コントローラ１２８とが設けられ、電子撮像機能と共に電子記録表示機能を提供できるように構成されている。
【００４９】
その他の記憶領域としては、カメラ制御に必要な所定の制御パラメータを記憶する不揮発性記憶手段として、例えば、ＥＥＰＲＯＭからなる不揮発性メモリ１２９が、Ｂｕｃｏｍ１５０からアクセス可能に設けられている。
【００５０】
また、Ｂｕｃｏｍ１５０には、当該カメラの動作状態を表示出力によってユーザへ告知するための動作表示用ＬＣＤ１５１と、カメラ操作スイッチ（ＳＷ）１５２とが設けられている。
【００５１】
上記カメラ操作ＳＷ１５２は、例えば、レリーズＳＷ、モード変更ＳＷ及びパワーＳＷなどの、当該カメラを操作するために必要な操作釦を含むスイッチ群である。
【００５２】
さらに、電源としての電池１５４と、この電源の電圧を、当該カメラシステムを構成する各回路ユニットが必要とする電圧に変換して供給する電源回路１５３が設けられている。
【００５３】
次に、上述したように構成されるカメラシステムの動作について説明する。まず、画像処理コントローラ１２８は、Ｂｕｃｏｍ１５０の指令に従ってインターフェース回路１２３を制御して撮像素子２７から画像データを取り込む。
【００５４】
この画像データは，画像処理コントローラ１２８でビデオ信号に変換され、液晶モニタ１２４にて出力表示される。
【００５５】
ユーザは、この液晶モニタ１２４の表示画像から、撮影した画像イメージを確認することができる。
【００５６】
ＳＤＲＡＭ１２５は、画像データの一時的保管用メモリであり、画像データが変換される際のワークエリアなどに使用される。
【００５７】
また、この画像データはＪＰＥＧデータに変換された後には記録メディア１２７に保管されるように設定されている。
【００５８】
撮像素子２７は、前述したように透明なガラス部材でなる防塵フィルタ２１によって保護されている。
【００５９】
この防塵フィルタ２１の周縁部にはそのガラス面を加振するための圧電素子２２が配置されており、この圧電素子２２は、後で詳しく説明するように、該圧電素子２２の駆動手段としても働く防塵フィルタ駆動回路１４０によって駆動される。
【００６０】
撮像素子２７及び圧電素子２２は、防塵フィルタ２１を一面とし、かつ破線で示すような枠体によって囲まれたケース内に一体的に収納されることが、防塵のためにはより好ましい。
【００６１】
通常、温度はガラス製の物材の弾性係数に影響し、その固有振動数を変化させる要因の１つであるため、運用時にその温度を計測してその固有振動数の変化を考慮しなければならない。
【００６２】
稼動中に温度上昇が激しい撮像素子２７の前面を保護するため設けられた防塵フィルタ２１の温度変化を測定して、そのときの固有振動数を予想するようにしたほうがよい。
【００６３】
したがって、この例の場合、上記温度測定回路１３３に接続されたセンサ（不図示）が、撮像素子２７の周辺温度を測定するため設けられている。
【００６４】
なお、そのセンサの温度測定ポイントは、防塵フィルタ２１の振動面の極近傍に設定されるのが好ましい。
【００６５】
ミラー駆動機構１１８は、クイックリターンミラー１３ｂをＵＰ位置とＤＯＷＮ位置へ駆動するための機構であり、このクイックリターンミラー１３ｂがＤＯＷＮ位置にあるとき、撮影光学系１２ａからの光束はＡＦセンサユニット１１６側とペンタプリズム１３ａ側へと分割されて導かれる。
【００６６】
ＡＦセンサユニット１１６内のＡＦセンサからの出力は、ＡＦセンサ駆動回路１１７を介してＢｕｃｏｍ１５０へ送信されて周知の測距処理が行われる。
【００６７】
また、ペンタプリズム１３ａに隣接する接眼レンズ１３ｃからはユーザが被写体を目視できる一方、このペンタプリズム１３ａを通過した光束の一部は測光回路１２１内のホトセンサ（不図示）へ導かれ、ここで検知された光量に基づき周知の測光処理が行われる。
【００６８】
次に、本実施形態のカメラ１における撮像ユニット１５の詳細について説明する。
【００６９】
図３、図４、図５は、本実施形態のカメラ１における撮像ユニット１５の一部を取り出して示す図であって、図３は、当該撮像ユニットを分解して示す要部分解斜視図である。
【００７０】
また、図４は、当該撮像ユニット組み立てた状態の一部を切断して示す斜視図であり、図５は、図４の切断面に沿う断面図である。
【００７１】
なお、本実施形態のカメラ１の撮像ユニット１５は、上述したようにシャッタ部１４を含む複数の部材によって構成されるユニットであるが、図３乃至図５においては、その主要部を図示するに留め、シャッタ部１４についての図示を省略している。
【００７２】
また、各構成部材の位置関係を示すために、図３乃至図５においては、当該撮像ユニット１５の近傍に設けられ、撮像素子２７が実装されると共に、画像信号処理回路及びワークメモリ等からなる撮像系の電気回路が実装される主回路基板１６を合わせて図示している。
【００７３】
なお、この主回路基板１６、それ自体の詳細については、従来のカメラ等において、一般的に利用されているものが適用されるものとして、その説明は省略する。
【００７４】
撮像ユニット１５は、ＣＣＤ等からなり撮影光学系１２ａを透過し自己の光電変換面上に照射された光に対応した画像信号を得る撮像素子２７と、この撮像素子２７を固定支持する薄板状の部材からなる撮像素子固定板２８と、撮像素子２７の光電変換面の側に配設され、撮影光学系１２ａを透過して照射される被写体光束から高周波成分を取り除くべく形成される光学素子である光学的ローパスフィルタ（Ｌｏｗ  Ｐａｓｓ  Ｆｉｌｔｅｒ；以下、光学ＬＰＦという）２５と、この光学ＬＰＦ２５と撮像素子２７との間の周縁部に配置され、略枠形状の弾性部材等によって形成されるローパスフィルタ受け部材２６と、撮像素子２７を収納し固定保持すると共に光学ＬＰＦ２５（光学素子）をその周縁部位乃至その近傍部位に密着して支持し、かつ所定の部位を後述する防塵フィルタ受け部材２３に密に接触するように配設される撮像素子収納ケース部材２４（以下、ＣＣＤケース２４という）と、このＣＣＤケース２４の前面側に配置され防塵フィルタ２１をその周縁部位乃至その近傍部位に密着して支持する防塵フィルタ受け部材２３と、この防塵フィルタ受け部材２３によって支持されて撮像素子２７の光電変換面の側であって光学ＬＰＦ２５の前面側において当該光学ＬＰＦ２５の間に所定の間隔を持つ所定の位置に対向配置される防塵部材である防塵フィルタ２１と、この防塵フィルタ２１の周縁部に配設され当該防塵フィルタ２１に対して所定の振動を与えるための加振用部材であり、例えば、電気機械変換素子等からなる圧電素子２２と、防塵フィルタ２１を防塵フィルタ受け部材２３に対して気密に接合させ固定保持するための弾性体からなる押圧部材２０等によって構成されている。
【００７５】
撮像素子２７は、撮影光学系１２ａを透過した被写体光束を自己の光電変換面に受けて光電変換処理を行うことによって、当該光電変換面に形成される被写体像に対応した画像信号を取得するものであって、例えば、電荷結合素子（ＣＣＤ；Ｃｈａｒｇｅ  Ｃｏｕｐｌｅｄ  Ｄｅｖｉｃｅ）が用いられる。
【００７６】
この撮像素子２７は、撮像素子固定板２８を介して主回路基板１６上の所定の位置に実装されている。
【００７７】
この主回路基板１６には、上述したように画像信号処理回路及びワークメモリ等が共に実装されており、撮像素子２７から出力された信号は、これらの回路で処理されるようになっている。
【００７８】
撮像素子２７の前面側には、ローパスフィルタ受け部材２６を挟んで光学ＬＰＦ２５が配設されている。
【００７９】
そして、これらの撮像素子２７、ローパスフィルタ受け部材２６、光学ＬＰＦ２５を覆うようにＣＣＤケース２４が配設されている。
【００８０】
つまり、ＣＣＤケース２４には、略中央部分に矩形状からなる開口２４ｃが設けられており、この開口２４ｃには、その後方側から光学ＬＰＦ２５及び撮像素子２７が配設されるようになっている。
【００８１】
この開口２４ｃの後方側の内周縁部には、図４、図５に示すように断面が略Ｌ字形状からなる段部２４ａが形成されている。
【００８２】
上述したように、光学ＬＰＦ２５と撮像素子２７との間には、弾性部材等からなるローパスフィルタ受け部材２６が配設されている。
【００８３】
このローパスフィルタ受け部材２６は、撮像素子２７の前面側の周縁部においてその光電変換面の有効範囲を避ける位置に配設され、かつ光学ＬＰＦ２５の背面側の周縁部近傍に当接するようになっている。
【００８４】
そして、光学ＬＰＦ２５と撮像素子２７との間を略気密性が保持されるようにしている。
【００８５】
これにより、光学ＬＰＦ２５には、ローパスフィルタ受け部材２６による光軸方向への弾性力が働くことになる。
【００８６】
そこで、光学ＬＰＦ２５の前面側の周縁部を、ＣＣＤケース２４の段部２４ａに対して略気密に接触させるように配置することによって、当該光学ＬＰＦ２５をその光軸方向に変位させようとするローパスフィルタ受け部材２６による弾性力に抗して当該光学ＬＰＦ２５の光軸方向における位置を規制するようにしている。
【００８７】
換言すれば、ＣＣＤケース２４の開口２４ｃの内部に背面側より挿入された光学ＬＰＦ２５は、ＣＣＤケース２４の段部２４ａによって光軸方向における位置規制がなされている。
【００８８】
これにより、当該光学ＬＰＦ２５は、ＣＣＤケース２４の内部から前面側へ向けて外部に抜け出ないようになっている。
【００８９】
このようにして、ＣＣＤケース２４の開口２４ｃの内部に背面側から光学ＬＰＦ２５が挿入された後、光学ＬＰＦ２５の背面側には、撮像素子２７が配設されるようになっている。
【００９０】
この場合において、光学ＬＰＦ２５と撮像素子２７との間には、周縁部においてローパスフィルタ受け部材２６が挟持されるようになっている。
【００９１】
また、撮像素子２７は、上述したように撮像素子固定板２８を挟んで主回路基板１６に実装されている。
【００９２】
そして、撮像素子固定板２８は、ＣＣＤケース２４の背面側からネジ孔２４ｅに対してネジ２８ｂによってスペーサ２８ａを介して固定されている。
【００９３】
また、撮像素子固定板２８には、主回路基板１６がスペーサ１６ｃを介してネジ１６ｄによって固定されている。
【００９４】
ＣＣＤケース２４の前面側には、防塵フィルタ受け部材２３がＣＣＤケース２４のネジ孔２４ｂに対してネジ２３ｂによって固定されている。
【００９５】
この場合において、ＣＣＤケース２４の周縁側であって前面側の所定の位置には、図４、図５において詳細に示すように、周溝２４ｄが略環状に形成されている。
【００９６】
その一方で、防塵フィルタ受け部材２３の周縁側であって背面側の所定の位置には、ＣＣＤケース２４の周溝２４ｄに対応させた環状凸部２３ｄ（図３には図示せず）が全周にわたって略環状に形成されている。
【００９７】
したがって、環状凸部２３ｄと周溝２４ｄとが嵌合することによりＣＣＤケース２４と防塵フィルタ受け部材２３とは、環状の領域、すなわち、周溝２４ｄと環状凸部２３ｄとが形成される領域において相互に略気密に嵌合するようになっている。
【００９８】
防塵フィルタ２１は、全体として円形乃至多角形の板状をなし、少なくとも自己の中心から放射方向に所定の広がりを持つ領域が透明部をなしており、この透明部が光学ＬＰＦ２５の前面側に所定の間隔をもって対向配置されているものである。
【００９９】
また、防塵フィルタ２１の一方の面（本実施形態では背面側）の周縁部には、当該防塵フィルタ２１に対して振動を与えるための所定の加振用部材であり、電気機械変換素子等によって形成される圧電素子２２が一体となるように、例えば、接着剤による貼着等の手段により配設されている。
【０１００】
この圧電素子２２は、外部から所定の駆動電圧を印加することによって防塵フィルタ２１に所定の振動を発生させることができるように構成されている。
【０１０１】
そして、防塵フィルタ２１は、防塵フィルタ受け部材２３に対して気密に接合するように、板ばね等の弾性体からなる押圧部材２０によって固定保持されている。
【０１０２】
防塵フィルタ受け部材２３の略中央部近傍には、円形状又は多角形状からなる開口２３ｆが設けられている。
【０１０３】
この開口２３ｆは、撮影光学系１２ａを透過した被写体光束を通過させて、当該光束が、その後方に配置される撮像素子２７の光電変換面を照射するのに十分な大きさとなるように設定されている。
【０１０４】
この開口２３ｆの周縁部には、前面側に突出する壁部２３ｅ（図４、図５参照）が略環状に形成されており、この壁部２３ｅの先端側には、さらに前面側に向けて突出するように、受け部２３ｃが形成されている。
【０１０５】
一方、防塵フィルタ受け部材２３の前面側の外周縁部近傍には、所定の位置に複数（本実施形態では３箇所）の突状部２３ａが前面側に向けて突出するように形成されている。
【０１０６】
この突状部２３ａは、防塵フィルタ２１を固定保持する押圧部材２０を固設するために形成される部位であって、当該押圧部材２０は、突状部２３ａの先端部に対してねじ２０ａ等の締結手段により固設されている。
【０１０７】
押圧部材２０は、上述したように板ばね等の弾性体によって形成される部材であって、その基端部が突状部２３ａ固定され、自由端部が防塵フィルタ２１の外周縁部に当接することによって、当該防塵フィルタ２１を防塵フィルタ受け部材２３の側、すなわち、光軸方向に向けて押圧するようになっている。
【０１０８】
この場合において、防塵フィルタ２１の背面側の外周縁部に配設される圧電素子２２の所定の部位が、受け部２３ｃに当接することによって、防塵フィルタ２１及び圧電素子２２の光軸方向における位置が規制されるようになっている。
【０１０９】
これにより、防塵フィルタ２１は、圧電素子２２を介して防塵フィルタ受け部材２３に対して気密に接合するように固定保持されている。
【０１１０】
換言すれば、防塵フィルタ受け部材２３は、押圧部材２０による付勢力によって防塵フィルタ２１と圧電素子２２を介して気密に接合するように構成されている。
【０１１１】
ところで、上述したように防塵フィルタ受け部材２３とＣＣＤケース２４とは、周溝２４ｄと環状凸部２３ｄ（図４、図５参照）とが相互に略気密に嵌合するようになっているのと同時に、防塵フィルタ受け部材２３と防塵フィルタ２１とは、押圧部材２０の付勢力により圧電素子２２を介して気密に接合するようになっている。
【０１１２】
また、ＣＣＤケース２４に配設される光学ＬＰＦ２５は、当該光学ＬＰＦ２５の前面側の周縁部とＣＣＤケース２４の段部２４ａとの間で略気密となるように配設されている。
【０１１３】
さらに、光学ＬＰＦ２５の背面側には、撮像素子２７がローパスフィルタ受け部材２６を介して配設されており、光学ＬＰＦ２５と撮像素子２７との間においても、略気密性が保持されるようになっている。
【０１１４】
これにより、光学ＬＰＦ２５と防塵フィルタ２１とが対向する間の空間には、所定の空隙部５１ａが形成されている。
【０１１５】
また、光学ＬＰＦ２５の周縁側、すなわち、ＣＣＤケース２４と、防塵フィルタ受け部材２３と、防塵フィルタ２１とによって、空間部５１ｂが形成されている。
【０１１６】
この空間部５１ｂは、光学ＬＰＦ２５の外側に張り出すようにして形成されている封止された空間である（図４、図５参照）。
【０１１７】
また、この空間部５１ｂは、空隙部５１ａよりも広い空間となるように設定されている。
【０１１８】
そして、空隙部５１ａと空間部５１ｂとからなる空間は、上述した如くＣＣＤケース２４と防塵フィルタ受け部材２３と防塵フィルタ２１と光学ＬＰＦ２５とによって、略気密に封止される封止空間５１となっている。
【０１１９】
このように、本実施形態のカメラにおける撮像ユニット１５では、光学ＬＰＦ２５及び防塵フィルタ２１の周縁に形成され空隙部５１ａを含む略密閉された封止空間５１を形成する封止構造部が構成されている。
【０１２０】
そして、この封止構造部は、光学ＬＰＦ２５の周縁乃至その近傍から外側の位置に設けられるようになっている。
【０１２１】
さらに、本実施形態においては、防塵フィルタ２１をその周縁部位乃至その近傍部位に密着して支持する第１の部材である防塵フィルタ受け部材２３と、光学ＬＰＦ２５をその周縁部位乃至その近傍部位に密着して支持すると共に、自己の所定部位で防塵フィルタ受け部材２３と密に接触するように配設される第２の部材であるＣＣＤケース２４等によって、封止構造部が構成されている。
【０１２２】
上述のように構成された本実施形態のカメラにおいては、撮像素子２７の前面側の所定の位置に防塵フィルタ２１を対向配置し、撮像素子２７の光電変換面と防塵フィルタ２１との周縁に形成される封止空間５１を封止するように構成したことによって、撮像素子２７の光電変換面に塵挨等が付着するのを未然に予防している。
【０１２３】
そして、この場合においては、防塵フィルタ２１の前面側の露出面に付着する塵挨等については、当該防塵フィルタ２１の周縁部に一体となるように配設される圧電素子２２に周期電圧を印加して防塵フィルタ２１に対して所定の振動を与えることによって、除去することができるようになっている。
【０１２４】
ここで、防塵フィルタ２１の塵埃除去動作としての振動について説明する。図６は、カメラ１における撮像ユニット１５のうち防塵フィルタ２１及びこれに一体に設けられる圧電素子２２のみを取り出して示す正面図である。
【０１２５】
また、図７及び図８は、図６の圧電素子２２に対して周期的な駆動電圧を印加した際の防塵フィルタ２１及び圧電素子２２の状態変化を示し、図７は図６のＡ−Ａ線に沿う断面図、図８は、図６のＢ−Ｂ線に沿う断面図である。
【０１２６】
例えば圧電素子２２に負（マイナス；−）電圧を印加した場合には、防塵フィルタ２１は、図７、図８において実線で示すように変形する一方、圧電素子２２に正（プラス；＋）電圧を印加した場合には、防塵フィルタ２１は、同図において点線で示すように変形することになる。
【０１２７】
この場合において、図６〜図８の符号２１ａで示すような振動の節の位置では、実質的に振幅は零になることから、この節２１ａに対応する部位に防塵フィルタ受け部材２３の受け部２３ｃを当接させるように設定する。これにより、振動を阻害することなく防塵フィルタ２１を効率的に支持し得ることになる。そしてこの状態において、圧電素子２２に対して周期的な電圧を印加することで防塵フィルタ２１は振動し、当該防塵フィルタ２１の表面に付着した塵埃等は除去される。
【０１２８】
なお、このときの共振周波数は、防塵フィルタ２１の形状や板厚・材質等により決まるものである。上述の図６〜図８に示す例では、一次振動を発生させた場合を示している。
【０１２９】
また、図９〜図１１に図示する別の例では、図６〜図８に示す例と全く同じ構成の防塵フィルタに対して二次振動を発生させた場合の様子を示している。
【０１３０】
この場合、図９は、図６と同様にカメラ１における撮像ユニット１５のうち防塵フィルタ２１及びこれに一体に設けられる圧電素子２２のみを取り出して示す正面図である。
【０１３１】
図１０及び図１１は、図９の圧電素子２２に対して二次振動を発生させるための周期的な電圧を印加した際の防塵フィルタ２１及び圧電素子２２の状態変化を示し、図１０は、図９のＡ−Ａ線に沿う断面図、図１１は図９のＢ−Ｂ線に沿う断面図である。
【０１３２】
例えば圧電素子２２に負（マイナス；−）電圧を印加した場合には、防塵フィルタ２１は、図１０及び図１１において実線で示すように変形する一方、圧電素子２２に正（プラス；＋）電圧を印加した場合には、防塵フィルタ２１は、同図において点線で示すように変形することになる。
【０１３３】
この場合においては、図９〜図１１に示す符号２１ａ、２１ｂに示すようにこの振動では二対の節が存在することになるが、節２１ａに対応する部位に防塵フィルタ受け部材２３の受け部２３ｃを当接させるように設定することで、上述の図６〜図８に示す例と同様に、振動を阻害することなく防塵フィルタ２１を効率的に支持し得ることになる。
【０１３４】
したがって、このような防塵機構において、所定の時期に圧電素子２２に対して周期的な電圧を印加することで防塵フィルタ２１は振動し、当該防塵フィルタ２１の表面に付着した塵埃等は除去できる。
【０１３５】
図１２は、本電子撮像装置における撮像ユニットのうち防塵フィルタに振動を与える加振手段の構成を概念的に示す図である。
【０１３６】
図１２に示すように、円環形状の圧電素子２２は、２２ａ、２２ｂに分極されている。この場合において、圧電素子２２ａ、２２ｂは、円周方向に８分割した領域において板厚方向に分極されており、分極方向はプラス（＋）とマイナス（−）で表示され、分極方向が逆となっている領域が交互に配置されている。そして、一方の圧電素子２２ｂは、他方の圧電素子２２ａに対して振動の波長（ここで１波長はプラス（＋）、マイナス（−）の分極領域の長さに相当する）の四分の一波長（１／４λ）分だけずらした位置となるように配置されている。
【０１３７】
このように構成される圧電素子２２ａ、２２ｂに対しては、防塵フィルタ駆動回路１４０によって、それぞれの板厚方向に所定の周波数の電圧が追加されることになる。
【０１３８】
この場合において、防塵フィルタ駆動回路１４０の発振器３４から出力される周波数信号（第１の周期電圧信号）は、そのまま圧電素子２２ｂに追加される一方、圧電素子２２ａに対しては、防塵フィルタ駆動回路４８の９０°移相器３５によって位相が９０°ずれた信号（第２の周期電圧信号）が印加されるようになっている。
【０１３９】
このような信号を各圧電素子２２ａ、２２ｂに印加することによって、防塵フィルタ２１は、図１３（防塵フィルタ２１のみ表示されている）に示すように防塵フィルタ２１の中心部を軸として回転方向Ｘへ向けて進行する屈曲進行波振動（山Ｙと谷Ｔとが交互に等間隔、等振幅で生じる振動）が生じることになる。
【０１４０】
なお、圧電素子２２ａ、２２ｂによって発声させられる屈曲進行波を任意の時間で見たときには、防塵フィルタ２１の中心部（光軸）に対して略対称形状となっている。
【０１４１】
図１４は、図２で説明した本電子撮像装置１における防塵フィルタ駆動回路１４０の構成を概略的に示す回路図である。図１５は、図１４の防塵フィルタ駆動回路１４０における各構成部材から出力される各信号形態を示すタイムチャートである。
【０１４２】
ボディ制御用マイクロコンピュータ１５０の内部にはクロックジェネレータ２５５が設けられているが、このクロックジェネレータ２５５は、圧電素子２２ａ、２２ｂに印加すべき信号周波数よりも十分に早い周波数でパルス信号（基本クロック）を出力する（図１５に示すＳｉｇ１参照）。この基本クロック信号は、防塵フィルタ駆動回路１４０のＮ進カウンタ２４１に入力される。Ｎ進カウンタ２４１はパルス信号をカウントし、所定値＝Ｎに達する毎にカウント終了パルス信号を出力する。即ち、基本クロック信号は１／Ｎで分周されることになる（図１５に示すＳｉｇ２参照）。
【０１４３】
分周されたパルス信号は、ＨｉｇｈとＬｏｗのデューティー比が１：１ではないので、第１の１／２分周回路２４２−１を介してデューティー比を１：１に変換する。このときに周波数は半分になる（図１５に示すＳｉｇ３参照）。第１の１／２分周回路２４２−１からの出力信号は、第２の１／２分周回路２４２−２とエクスクルーシブオア（ＥｘＯＲ）回路２４７へと出力される。第２の１／２分周回路２４２−２に入力されたパルス信号は、さらに周波数が半分になって出力される（図１５に示すＳｉｇ４参照）。
【０１４４】
ここで、パルス信号Ｓｉｇ４のハイ（Ｈｉｇｈ）状態において、ＭＯＳトランジスタＱ０１（２４４ｂ１）がオン（ＯＮ）状態となる。さらに、パルス信号Ｓｉｇ４は、第１インバータ２４３−１を介してＭＯＳトランジスタＱ０２（２４４ｃ１）に印加される。この場合は、パルス信号Ｓｉｇ４のロー（Ｌｏｗ）状態においてＭＯＳトランジスタＱ０２（２４４ｃ１）がオン（ＯＮ）状態となる。
【０１４５】
このようにしてトランスＡ（２４５−１）の１次側に接続された２つのＭＯＳトランジスタＱ０１（２４４ｂ１）及びＱ０２（２４４ｃ１）が交互にオン状態になると、当該トランスＡ（２４５−１）の２次側には、図１５に示すＳｉｇ５の信号が発生する。この場合において、トランスＡ（２４５−１）の巻線比は、電源回路１５３の出力電圧と一方の圧電素子２２ａを駆動させるのに必要な電圧によって決定される。
【０１４６】
なお、抵抗Ｒ００（２４６−１）は、トランスＡ（２４５−１）に過大な電流が流れることを制限するために配設されているものである。
【０１４７】
圧電素子２２ａを駆動させるに際しては、Ｑ００（２４４ａ１）がオン（ＯＮ）状態にあり、かつ電源回路１５３からトランスＡ（２４５−１）のセンタータップに電圧が印加されている必要がある。そして、この場合において、Ｑ００（２４４ａ１）のオン又はオフの制御は、ボディ制御用マイクロコンピュータ１５０のＰ＿ＰｗＣｏｎｔＡから行われるようになっている。
【０１４８】
また、Ｎ進カウンタ２４１の設定値＝Ｎは、ボディ制御用マイクロコンピュータ１５０のポート＝Ｄ＿ＮＣｎｔから設定される。つまり、ボディ制御用マイクロコンピュータ１５０は、設定値＝Ｎを制御することによって、圧電素子２２ａ、２２ｂの駆動周波数を任意に変更することができるようになっている。
【０１４９】
駆動周波数の算出は、次に示す式（１）による。
【０１５０】
ｆｄｒｖ＝ｆｐｌｓ／４Ｎ      ……（１）
ここで、Ｎ：Ｎ進カウンタ２４１への設定値
ｆｐｌｓ：クロックジェネレータ２５５の出力パルスの周波数
ｆｄｒｖ：圧電素子２２ａへ印加される信号の周波数
このようにして、圧電素子２２ａに所定の電圧の駆動信号（Ｓｉｇ５）が印加される。
【０１５１】
一方、第１の１／２分周回路２４２−１の出力信号Ｓｉｇ３は、エクスクルーシブオア（ＥｘＯＲ）回路２４７を経由して、第３の１／２分周回路２４２−３へと出力される。この場合において、ボディ制御用マイクロコンピュータ１５０のポートＰ＿θＣｏｎｔがハイ（Ｈｉｇｈ）状態のときには、パルス信号Ｓｉｇ３は反転する。その後、第３の１／２分周回路２４３−３へと出力される。
【０１５２】
また、ポートＰ＿θＣｏｎｔがロー（Ｌｏｗ）状態のときには、パルス信号Ｓｉｇ３は、そのままの状態で第３の１／２分周回路２４２−３へと出力される（図１５に示すＳｉｇ６参照）。このパルス信号Ｓｉｇ６は、さらに第３の１／２分周回路２４２−３によって半分の周波数にされた後、出力される（図１５に示すＳｉｇ７参照）。これによって、第２インバータ２４３−２、Ｑ１１（２４４ｂ２）、Ｑ１２（２４４ｃ２）、トランスＢ（２４５−２）が駆動されて、圧電素子２２ｂに所定の電圧の駆動信号（Ｓｉｇ８）が印加される。
【０１５３】
なお、第２インバータ２４３−２、Ｑ１１（２４４ｂ２）、Ｑ１２（２４４ｃ２）、トランスＢ（２４５−２）、抵抗Ｒ１０のそれぞれの機能は、上述した第１インバータ２４３−１、Ｑ０１（２４４ｂ１）、Ｑ０２（２４４ｃ１）、トランスＡ（２４５−１）、抵抗Ｒ００（２４６−１）のそれぞれと略同様となっている。
【０１５４】
また、第１〜第３の１／２分周回路２４２−１，２４２−２，２４２−３のいずれにおいても、入力されるパルス信号の立ち上がりエッジに反応して分周動作を行うようになっている。
【０１５５】
そして、パルス信号の周波数が同じであっても、信号が反転しているときには、第２の１／２分周回路２４２−２と第３の１／２分周回路２４２−３とがそれぞれ出力するパルス信号には位相の相違が発生する。この場合における位相の差は９０°となる。
【０１５６】
したがって、圧電素子２２ａに印加される信号Ｓｉｇ５と、圧電素子２２ｂに印加される信号Ｓｉｇ８との間には、９０°の位相差が発生することになる。そして、この位相の差は、ボディ制御用マイクロコンピュータ１５０のポートＰ＿θＣｏｎｔによって制御できる。例えば、ポートＰ＿θＣｏｎｔがハイ（Ｈｉｇｈ）状態であれば、９０°の位相差が発生し、ロー（Ｌｏｗ）状態であれば、位相差は発生しないことになる。つまり、ポートＰ＿θＣｏｎｔを制御することによって、異なる形態の振動を防塵フィルタ２１に対して加えることができる。
【０１５７】
（第１実施形態）
図１６は、本発明の第１実施形態に係るカメラシステムにおけるＢｕｃｏｍ１５０の動作を説明するためのフローチャートである。
【０１５８】
Ｂｕｃｏｍ１５０は、カメラの電源ＳＷがＯＮ操作されると、その稼動を開始する。ステップＳ１００において、当該カメラシステムを起動するための処理が実行される。電源回路１５３を制御して当該カメラシステムを構成する各回路ユニットへ電力を供給する。また各回路の初期設定を行う。
【０１５９】
次に、ステップＳ１０１、ステップＳ１０２、及び、ステップＳ１０３で示すように、電源起動時に塵埃を除去する動作を実行する。電源ＯＦＦ中に何らかの理由（例えばユーザが撮影レンズの交換を行ったこと等）により塵埃が防塵フィルタ２１に付着する可能性があるからである。
【０１６０】
ステップＳ１０１では、カメラ操作ＳＷ１５２の一つである静音動作モード選択ＳＷの状態を判定する。静音動作モード選択ＳＷがＯＮならば静音動作モードが選択され、撮像動作に関連して発生するさまざまな音を抑制しなければならない。従ってここでは、撮像動作が遅れてもアクチュエータの動作速度を落としてメカニカルノイズを抑える。また音による告知表示（バッテリ低下時の警告、撮像動作を明示するための擬似的なレリーズ音、焦点調整動作終了時の告知音など）は禁止される。静音動作モードにおいては防塵動作に伴い防塵フィルタ２１が発生する音も抑制しなければならない。
【０１６１】
ステップＳ１０１で静音動作モードが選択されていなければステップＳ１０１からステップＳ１０２へ移行して、防塵フィルタ２１に対する防塵動作を実行する。防塵フィルタ２１を共振周波数（ｆ０）で加振するためにＮ進カウンタ２４１に設定される値は不揮発性メモリ１２９に記憶されている。塵埃を除去するために防塵フィルタ２１を加振する時間（Ｔ０）も不揮発性メモリ１２９に記憶されている。ステップＳ１０２では、これらのデータに基づいて有音の防塵動作が実行される。ここでは２つの圧電素子２２ａ、２２ｂを周波数ｆ０で同相にてＴ０の時間だけ駆動する。周波数ｆ０で防塵フィルタ２１を加振すると、防塵フィルタ２１は図７、図８で示したごとく振動する。防塵フィルタ２１は全体が同じ位相で振動する。したがってｆ０が可聴周波数であれば人が検知可能な音が発生する。静音動作モードではないので音の発生はユーザに対して防塵動作の告知となり都合がよい。
【０１６２】
一方、ステップＳ１０１において静音動作モードが選択されるとステップＳ１０１からステップＳ１０３へ移行する。ここではステップＳ１０２の動作と同様に防塵フィルタ２１に対する防塵動作が実行される。不揮発性メモリ１２９から２つの制御パラメータ（ｆ１，Ｔ１）を読み出す。ここでｆ１は上述のｆ０とは異なる（ｆ０よりも高い）周波数である。ただし、駆動周波数が高いとフィルタの振動幅が小さくなるので、付着した塵埃等を完全に除去するために周波数ｆ１における駆動時間Ｔ１を周波数ｆ０における駆動時間Ｔ０よりも長く設定する必要がある。ステップＳ１０３では、これらの制御パラメータに基づいて防塵フィルタ２１が加振されて無音の防塵動作が実行される。防塵フィルタ２１をｆ１で加振すると、防塵フィルタ２１は図１０、図１１で示したごとく、図７，図８で示した振動形態とは異なる形態で振動する。ここでの防塵フィルタ２１は全体が同じ位相では振動しない。図でわかるように中央部の偏移と周辺部の偏移の位相が１８０°ずれている。したがって中央部の偏移により発生する音と周辺部の偏移により発生する音も位相がずれて相殺される。したがってｆ１が可聴周波数であっても、防塵動作に伴う音をユーザは聞くことはない。防塵フィルタ２１を構成する円形のガラス板の振動のモードは多数存在する。図７、図８で示した以外の振動モードでは防塵フィルタ２１全体が同相で振動しないため音を効率よく輻射できない。したがって静音動作モードでは防塵フィルタ２１全体が同相で振動しない周波数で駆動するならば、周波数ｆ１に固執する必要はない。
【０１６３】
ステップＳ１０２あるいはステップＳ１０３の実行の後は、ステップＳ１０４に移行する。ステップＳ１０４ではカメラ操作ＳＷ１５２の一つである１ｓｔレリーズＳＷの状態を判定する。１ｓｔレリーズＳＷの操作が検出されるまでステップＳ１０４で待機する。１ｓｔレリーズＳＷが操作されるとステップＳ１０４からステップＳ１０５へ移行する。ステップＳ１０５では測光回路１２１から被写体の輝度情報を入手する。そしてこの情報から撮像ユニット１５の露光時間（Ｔｖ値）とレンズユニット１２の絞り設定値（Ａｖ値）を算出する。
【０１６４】
ステップＳ１０６では、ＡＦセンサ駆動回路１１７を経由してＡＦセンサユニット１１６の検知データを入手する。このデータに基づきピントのズレ量を算出する。
【０１６５】
ステップＳ１０７では、その算出されたズレ量が許可された範囲内にあるか否かを判定し、否の場合はステップＳ１０８で撮影光学系１２ａにおける撮影レンズの駆動制御を行い、ステップＳ１０４へ戻る。
【０１６６】
一方、ステップＳ１０７で、ズレ量が許可された範囲内に在る場合は、ステップＳ１０９へ移行する。ステップＳ１０９では、カメラ操作ＳＷ１５２の１つである２ｎｄレリーズＳＷの操作状態を判定する。ＳＷの操作がなされているときにはステップＳ１１０へ移行し、ＳＷの操作がない時はステップＳ１０４へ移行する。
【０１６７】
ステップＳ１１０では静音動作モード設定ＳＷの状態を検出する。静音動作モードでないときはステップＳ１１１において撮像動作に先立って有音の防塵動作を開始する。この動作はすでに説明したステップＳ１０２と同じ動作である。防塵動作は、後述する、撮像動作に必要な準備動作（ステップＳ１１３，ステップＳ１１４）と平行して実行される。
【０１６８】
一方、ステップＳ１１０で静音動作モードのときは、ステップＳ１１２において無音の防塵動作を開始する。この動作はステップＳ１０３と同じ動作である。
【０１６９】
ステップＳ１１３ではステップＳ１０５において算出されたＡｖ値に基づいて撮影光学系１２ａにおける撮影レンズの絞りが設定される。
【０１７０】
ステップＳ１１４ではクイックリターンミラー１３ｂをＵＰ位置へ駆動する。
【０１７１】
ステップＳ１１５では防塵動作を終了するため圧電素子２２の駆動を停止することにより防塵フィルタ２１の駆動を停止する。
【０１７２】
ステップＳ１１６ではシャッタ１４をＯＰＥＮ制御する。ステップＳ１１７ではステップＳ１０５において算出されたＴｖ値に基づき撮像素子２７を露光することにより撮像動作を行う。
【０１７３】
ステップＳ１１８ではシャッタ１４をＣＬＯＳＥ制御する。ステップＳ１１９ではクイックリターンミラー１３ｂをＤｏｗｎ位置へ駆動するとともに、シャッタ１４をチャージする。
【０１７４】
ステップＳ１２０では撮影光学系１２ａにおける撮影レンズの絞りを開放位置へ駆動する。ステップＳ１２１では撮像素子２７から画像データを読み出して、所定のフォーマットへ変換後、記録メディアへ保管する。
【０１７５】
上記した第１実施形態によれば、静音動作モードが設定されているときには無音の防塵動作を行うようにしたので、ユーザにカメラの発生音を聞かれることなしに防塵動作を行うことができる。
【０１７６】
（第２実施形態）
図１７は、本発明の第２実施形態に係るカメラシステムにおけるＢｕｃｏｍ１５０の動作を説明するためのフローチャートである。
【０１７７】
Ｂｕｃｏｍ１５０は、カメラの電源ＳＷがＯＮ操作されると、その稼動を開始する。ステップＳ２００において、当該カメラシステムを起動するための処理が実行される。電源回路１５３を制御して当該カメラシステムを構成する各回路ユニットへ電力を供給する。また各回路の初期設定を行う。
【０１７８】
次に、ステップＳ２０１、ステップＳ２０２、及び、ステップＳ２０３で示すように、電源起動時にチリを除去する動作を実行する。電源ＯＦＦ中に何らかの理由（例えばユーザが撮影レンズの交換を行ったこと等）により塵埃が防塵フィルタ２１に付着する可能性があるからである。
【０１７９】
ステップＳ２０１では、カメラ操作ＳＷ１５２の一つである静音動作モード選択ＳＷの状態を判定する。静音動作モード選択ＳＷがＯＮでは静音動作モードが選択され、撮像動作に関連して発生するさまざまな音を抑制しなければならない。従ってここでは、撮像動作が遅れてもアクチュエータの動作速度を落とすメカニカルノイズを抑える。また音による告知表示（バッテリ低下時の警告、撮像動作を明示するための擬似的なレリーズ音、焦点調整動作終了時の告知音など）は禁止される。静音動作モードにおいては防塵動作に伴い防塵フィルタ２１が発生する音も抑制しなければならない。
【０１８０】
ステップＳ２０１で静音動作モードが選択されていなければステップＳ２０１からステップＳ２０２へ移行する。ステップＳ２０２では防塵フィルタ２１に対する防塵動作を実行する。防塵フィルタ２１を共振周波数（ｆ０）で加振するためにＮ進カウンタ２４１に設定される値は不揮発性メモリ１２９に記憶されている。塵埃を除去するために防塵フィルタ２１を加振する時間（Ｔ０）も不揮発性メモリ１２９に記憶されている。ステップＳ２０２では、これらのデータに基づいて有音の防塵動作が実行される。ここでは２つの圧電素子２２ａ、２２ｂを周波数ｆ０で同相にてＴ０の時間だけ駆動する。周波数ｆ０で防塵フィルタ２１を加振すると、防塵フィルタ２１は図７、図８で示したごとく振動する。防塵フィルタ２１は全体が同じ位相で振動する。したがってｆ０が可聴周波数であれば人が検知可能な音が発生する。静音動作モードではないので音の発生はユーザに対して防塵動作の告知となり都合がよい。
【０１８１】
一方、ステップＳ２０１において静音動作モードが選択されるとステップＳ２０１からステップＳ２０３へ移行する。ここではステップＳ２０２の動作と同様に防塵フィルタ２１に対する防塵動作が実行される。不揮発性メモリ１２９から２つの制御パラメータ（ｆｓ，Ｔｓ）を読み出す。ここで、ｆｓは駆動周波数であり、Ｔｓは駆動時間である。このパラメータに基づいて２つの圧電素子２２ａ，２２ｂに９０°位相がずれた駆動信号を印加すると、防塵フィルタ２１は図１３で示したごとく振動する。この場合、防塵フィルタ２１には進行波が発生するが、防塵フィルタ２１全体が同相で振動しないため音を輻射することはできない。したがって無音状態での防塵動作となる。
【０１８２】
ステップＳ２０２あるいはステップＳ２０３の実行の後は、ステップＳ２０４に移行する。ステップＳ２０４ではカメラ操作ＳＷ１５２の一つである１ｓｔレリーズＳＷの状態を判定する。１ｓｔレリーズＳＷの操作が検出されるまでステップＳ２０４で待機する。１ｓｔレリーズＳＷが操作されるとステップＳ２０４からステップＳ２０５へ移行する。ステップＳ２０５では測光回路１２１から被写体の輝度情報を入手する。そしてこの情報から撮像ユニット１５の露光時間（Ｔｖ値）とレンズユニット１２の絞り設定値（Ａｖ値）を算出する。
【０１８３】
ステップＳ２０６では、ＡＦセンサ駆動回路１１７を経由してＡＦセンサユニット１１６の検知データを入手する。このデータに基づきピントのズレ量を算出する。
【０１８４】
ステップＳ２０７では、その算出されたズレ量が許可された範囲内にあるか否かを判定し、否の場合はステップＳ２０８で撮影光学系１２ａにおける撮影レンズの駆動制御を行い、ステップＳ２０４へ戻る。
【０１８５】
一方、ステップＳ２０７でズレ量が許可された範囲内に在る場合は、ステップＳ２０９へ移行する。ステップＳ２０９ではカメラ操作ＳＷ１５２の１つである２ｎｄレリーズＳＷの操作状態を判定する。２ｎｄレリーズＳＷの操作がなされているときはステップＳ２１０へ移行し操作がない時はステップＳ２０４へ移行する。
【０１８６】
ステップＳ２１０では静音動作モード設定ＳＷの状態を検出する。静音動作モードでないときはステップＳ２１１において撮像動作に先立って有音の防塵動作を開始する。この動作はすでに説明したステップＳ２０２と同じである。防塵動作は撮像動作に必要な準備動作（ステップＳ２１３，ステップＳ２１４）と平行して実行される。
【０１８７】
一方、ステップＳ２１０で静音動作モードのときは、ステップＳ２１０からステップＳ２１２に移行して屈曲進行波による防塵動作を開始する。この動作はステップＳ２０３と同じ動作である。
【０１８８】
ステップＳ２１３ではステップＳ２０５において算出されたＡｖ値に基づいて撮影光学系１２ａにおける撮影レンズの絞りが設定される。
【０１８９】
ステップＳ２１４ではクイックリターンミラー１３ｂをＵＰ位置へ駆動する。
【０１９０】
ステップＳ２１５では防塵動作を終了するために圧電素子２２の駆動を停止することにより防塵フィルタ２１の駆動を停止する。
【０１９１】
ステップＳ２１６ではシャッタ１４をＯＰＥＮ制御する。ステップＳ２１７ではステップＳ２０５において算出されたＴｖ値に基づき撮像素子２７を露光して撮像動作を行う。
【０１９２】
ステップＳ２１８ではシャッタ１４をＣＬＯＳＥ制御する。ステップＳ２１９ではクイックリターンミラー１３ｂをＤｏｗｎ位置へ駆動する。さらにシャッタ１４をチャージする。ステップＳ２２０では撮影光学系１２ａにおける撮影レンズの絞りを開放位置へ駆動する。ステップＳ２２１では撮像素子２７から画像データを読み出して、所定のフォーマットへ変換後、記録メディアへ保管する。
【０１９３】
上記した第２実施形態によれば、静音動作モードが設定されているときには屈曲進行波による防塵動作を行うようにしたので、ユーザにカメラの発生音を聞かれることなしに防塵動作を行うことができる。
【０１９４】
（第３実施形態）
上記した第１実施形態および第２実施形態では、静音動作モードが選択された時には、人が聞くことが可能な音を発生しないような形態で防塵フィルタ２１を駆動することにより、静音動作モードであっても防塵動作そのものを停止させることは行っていない。しかし、第３実施形態例においては、静音動作モードが設定された場合には防塵動作そのものの動作を禁止することとする。この防塵動作の禁止に伴い防塵フィルタ２１に塵埃が付着する確率を小さくするためにクイックリターンミラー１３ｂをＵＰ位置に移動する。
【０１９５】
通常、クイックリターンミラー１３ｂは露光動作に連動してＵＰ／Ｄｏｗｎ駆動されるが、ここでは、静音動作モードに設定されると、クイックリターンミラー１３ｂをＵＰ位置に固定する。クイックリターンミラー１３ｂが固定されることによってミラーボックス内の空気は撹拌されない。したがってミラーボックス内に存在する塵埃が巻き上げられて防塵フィルタ２１に付着する可能性が小さくなる。またクイックリターンミラー１３ｂのＵＰ／Ｄｏｗｎによって発生するメカニカルノイズも無くなり、静音動作モードの主旨により合致することになる。
【０１９６】
以下、図１８のフローチャートを参照して本発明の第３実施形態に係るカメラシステムにおけるＢｕｃｏｍ１５０の動作を説明する。Ｂｕｃｏｍ１５０は、カメラの電源ＳＷがＯＮ操作されると、その稼動を開始する。ステップＳ３００において、当該カメラシステムを起動するための処理が実行される。電源回路１５３を制御して当該カメラシステムを構成する各回路ユニットへ電力を供給する。また各回路の初期設定を行う。
【０１９７】
ステップＳ３０１ではカメラ操作ＳＷ１５２の１つである静音動作モード選択ＳＷの状態を判定する。静音動作モード選択ＳＷがＯＮのときは静音動作モードが選択されたことを示している。ステップＳ３０１で静音動作モード選択ＳＷがＯＮならばステップＳ３０１からステップＳ３０２へ移行する。ステップＳ３０２ではクイックリターンミラー１３ｂの位置を検出する。クイックリターンミラー１３ｂがＤｏｗｎ位置にあるならば静音動作モード選択ＳＷがＯＮされた直後であることを示している。そこでステップＳ３０２からステップＳ３０３へ移行して、クイックリターンミラー１３ｂをＵＰ位置へ駆動する。クイックリターンミラー１３ｂをＵＰ位置へ設定するとファインダはｂｌａｃｋ  ｏｕｔ状態となり、ユーザはファインダを利用して被写体を観察することができない。この状況で被写体を観察するためには液晶モニタ１２４を利用する必要がある。
【０１９８】
そのためシャッタ１４をＯＰＥＮ状態に設定して撮像素子２７から画像データを読み出してビデオ信号を作成する。そしてビデオ信号で液晶モニタ１２４へ被写体像を表示する。この動作に関する詳細な説明は省略する。
【０１９９】
次のステップＳ３０４では所定の条件で防塵動作を実行する。ステップＳ３０４の防塵動作はステップＳ１０２（図１６）と同じである。防塵動作に伴い音が発生するが、以後静音動作モード中に防塵動作は行わないので問題はない。ここで防塵動作において第１、第２実施形態で示した無音の防塵動作を実施しない理由は、有音の防塵動作を実行することで音を利用してユーザに対して静音動作モードへ移行したことを告知するためである。
【０２００】
すでに静音動作モードに設定され、クイックリターンミラー１３ｂがＵＰ位置にあるならばステップＳ３０３，ステップＳ３０４の動作は必要ない。この時はステップＳ３０２からステップＳ３０７へ移行する。
【０２０１】
一方、ステップＳ３０１で静音動作モード選択ＳＷがＯＦＦのときはステップＳ３０５においてクイックリターンミラー１３ｂの位置を検出する。クイックリターンミラーがＵＰ位置にあるときは静音動作モード選択ＳＷがＯＦＦされた直後であることを示している。ステップＳ３０５でクイックリターンミラー１３ｂがＵＰ位置ならばステップＳ３０６においてクイックリターンミラー１３ｂをＤｏｗｎ位置へ戻す。クイックリターンミラー１３ｂがＤｏｗｎ位置に設定されることに伴いファインダのｂｌａｃｋ  ｏｕｔ状態は解除される。ユーザはファインダを介して被写体を観察可能になる。次にステップＳ３０７に移行する。
【０２０２】
ステップＳ３０７ではカメラ操作ＳＷ１５２の一つである１ｓｔレリーズＳＷの状態を判定する。１ｓｔレリーズＳＷがＯＮされるとステップＳ３０７からステップＳ３０８へ移行し、１ｓｔレリーズＳＷがＯＦＦならばステップＳ３０１へ移行する。ステップＳ３０８では静音動作モード選択ＳＷの状態を検出する。静音動作モード選択ＳＷがＯＦＦならばステップＳ３０９へ移行する。
【０２０３】
ステップＳ３０９では測光回路１２１から被写体の輝度情報を入手する。そしてこの情報から撮像素子２７の露光時間（Ｔｖ値）とレンズユニット１２の絞り設定値（Ａｖ値）を算出する。ステップＳ３１０では、公知の位相差方式の焦点調整動作が実行される。すなわち、ＡＦセンサ駆動回路１１７を経由してＡＦセンサユニット１１６の検知データを入手する。このデータに基づきピントのズレ量を算出し、このズレ量に基づき撮影光学系１２ａにおける撮影レンズを駆動する。その後、ステップＳ３１３に移行する。
【０２０４】
一方、ステップＳ３０８で静音動作モードのときはステップＳ３０８からステップＳ３１１へ移行する。ステップＳ３１１では撮影素子２７の出力に基づいて被写体輝度情報を検出する。そして撮影素子２７の露光時間（Ｔｖ値）とレンズユニット１２の絞り設定値（Ａｖ値）とを算出する。クイックリターンミラー１３ｂがＵＰ位置にあるため、ファインダ光学系に配置された測光回路１２１を利用して被写体輝度情報を入手することは出来ない。
【０２０５】
ステップＳ３１２では公知のコントラスト方式の焦点調整動作が実行される。すなわち、撮像素子２７から読み出した画像データのコントラストが最大になるように撮影レンズのポジションを調整する。
【０２０６】
ステップＳ３１３ではカメラ操作ＳＷ１５２の１つである２ｎｄレリーズＳＷの操作状態を判定する。２ｎｄレリーズＳＷの操作がなされているときはステップＳ３１４へ移行し、当該操作がない時はステップＳ３０１へ移行する。
【０２０７】
ステップＳ３１４ではすでに算出されたＡｖ値に基づき撮影光学系１２ａにおける撮影レンズの絞りを制御する。ステップＳ３１５では静音動作モードが設定されているか否かを判定する。静音動作モードが設定されているならばクイックリターンミラー１３ｂを駆動する必要はない。また防塵動作も禁止される。したがってこの場合はステップＳ３１５からステップＳ３１８へ移行する。
【０２０８】
一方、ステップＳ３１５で静音動作モードが設定されていない時は、ステップＳ３１６においてクイックリターンミラー１３ｂをＵＰ位置へ駆動する。さらにステップＳ３１７では防塵動作が実行される。ここでの防塵動作はステップＳ３０４の防塵動作と同じである。
【０２０９】
ステップＳ３１８ではシャッタ１４をＯＰＥＮ制御する。ステップＳ３１９ではすでに算出されたＴｖ値に基づき撮像素子２７を露光する。ステップＳ３２０ではシャッタ１４をＣＬＯＳＥ制御する。
【０２１０】
ステップＳ３２１では静音動作モードが設定されているか否かを判定する。静音動作モードであればクイックリターンミラー１３ｂをＤｏｗｎさせる必要はないので、ただちにステップＳ３２３に移行する。また、静音動作モードが設定されていないときはステップＳ３２２においてクイックリターンミラー１３ｂをＤｏｗｎ位置へ駆動した後、ステップＳ３２３に移行する。ステップＳ３２３ではシャッタ１４をチャージする。
【０２１１】
次のステップＳ３２４では撮影光学系１２ａにおける撮影レンズの絞りを開放位置へ駆動する。ステップＳ３２５では撮像素子２７から画像データを読み出して、所定のフォーマットへ変換後、記録メディアへ保管する。
【０２１２】
上記した第３実施形態によれば、静音動作モードが設定されているときには防塵動作を行わないようにしたので、ユーザにカメラの発生音を聞かれることなしに撮像動作を行うことができる。
【０２１３】
（付記）
１．被写体の光学像を結像する撮影光学系と、
上記光学像を電気信号に変換する光電変換手段と、
上記撮影光学系と上記光電変換手段との間に配置され、設定周期で振動可能な防塵フィルタと、
を具備しており、
上記防塵フィルタは、振動時に可聴音を発生する第１の振動形態と、上記第１の振動形態よりも可聴音の小さい第２の振動形態で振動可能であることを特徴とする電子撮像装置。
【０２１４】
２．  上記第１の振動形態は上記防塵フィルタに定在波を発生させる振動形態であり、上記第２の振動形態は上記防塵フィルタに進行波を発生させる振動形態であることを特徴とする１．に記載の電子撮像装置。
【０２１５】
３．  上記第１の振動形態においては上記防塵フィルタを第１の周波数で振動させ、上記第２の振動形態においては上記防塵フィルタを上記第１の周波数よりも高い第２の周波数で振動させることを特徴とする１．に記載の電子撮像装置。
【０２１６】
４．  上記第２の振動形態は、上記電子撮像装置が静音モードに設定された際に実行される振動形態であることを特徴とする１．に記載の電子撮像装置。
【０２１７】
５．  被写体の光学像を結像する撮影光学系と、
上記光学像を電気信号に変換する光電変換手段と、
上記撮影光学系と上記光電変換手段との間に配置された防塵ガラスと、
上記防塵ガラスの周縁部に配置された複数の圧電素子と、
上記複数の圧電素子に周期的な駆動電圧を印加し、それによって生じる上記圧電素子の振動によって上記防塵ガラスに振動波を発生させる駆動制御手段と、
を具備しており、
上記駆動制御手段は、上記防塵ガラスが可聴音を発しながら振動する第１の周波数と、可聴音を発しない第２の周波数でもって、上記複数の圧電素子を駆動させることが可能であることを特徴とする電子撮像装置。
【０２１８】
６．  上記電子撮像装置は静音動作モードを有しており、上記駆動制御手段は上記静音動作モード時には上記第２の周波数でもって上記複数の圧電素子を駆動することを特徴とする５．に記載の電子撮像装置。
【０２１９】
７．  上記第２の周波数は、上記第１の周波数よりも高いことを特徴とする６．に記載の電子撮像装置。
【０２２０】
８．  被写体の光学像を結像する撮影光学系と、
上記光学像を電気信号に変換する光電変換手段と、
上記撮影光学系と上記光電変換手段との間に配置された防塵ガラスと、
上記防塵ガラスの周縁部に配置された複数の圧電素子と、
上記複数の圧電素子に周期的な駆動圧電を印加し、それによって生じる上記圧電素子の振動によって上記防塵ガラスに振動波を発生させる駆動制御手段と、
通常動作モードと静音動作モードを選択的に設定するための設定手段と、
を具備しており、
上記駆動制御手段は、上記通常動作モードにおいては上記防塵ガラスに定在波を発生させ、上記静音動作モードにおいては上記防塵ガラスに進行波を発生させることを特徴とする電子撮像装置。
【０２２１】
９．  上記駆動制御手段は、上記通常動作モードにおいては上記複数の圧電素子に同相の駆動電圧を印加し、上記静音動作モードにおいては位相の異なる駆動電圧を上記複数の圧電素子に印加することを特徴とする８．に記載の電子撮像装置。
【０２２２】
１０．  被写体の光学像を結像する撮影光学系と、
上記光学像を電気信号に変換する光電変換手段と、
上記撮影光学系と上記光電変換手段との間に配置され、設定周期で振動可能な防塵フィルタと、
撮像動作に先立つタイミングで上記防塵フィルタを振動させる振動制御手段と、
通常動作モードと静音動作モードを選択的に設定するための設定手段と、
を具備しており、
上記静音動作モードが設定されている場合には、上記防塵フィルタの振動動作を禁止するようにしたことを特徴とする電子撮像装置。
【０２２３】
【発明の効果】
本発明によれば、静音動作モードが設定されているときに、ユーザにカメラの発生音を聞かれることなしに撮像動作を行うことができ、特に、静音動作モードが設定されているときに、ユーザにカメラの発生音を聞かれることなしに防塵動作を行うことができる。
【図面の簡単な説明】
【図１】本発明をデジタルカメラに適用した場合の実施の形態の概略的な構成を示す一部切り欠き斜視図である。
【図２】本発明に係わる一実施の形態のカメラのシステム構成を示すブロック図である。
【図３】本実施形態のカメラ１における撮像ユニット１５の一部を取り出して示す図であり、当該撮像ユニット１５を分解して示す要部分解斜視図である。
【図４】本実施形態のカメラ１における撮像ユニット１５の一部を取り出して示す図であり、当該撮像ユニット組み立てた状態の一部を切断して示す斜視図である。
【図５】本実施形態のカメラ１における撮像ユニット１５の一部を取り出して示す図であり、図４の切断面に沿う断面図である。
【図６】カメラ１における撮像ユニット１５のうち防塵フィルタ２１及びこれに一体に設けられる圧電素子２２のみを取り出して示す正面図である。
【図７】図６の圧電素子２２に対して周期的な駆動電圧を印加した際の防塵フィルタ２１及び圧電素子２２の状態変化を示しており、図６のＡ−Ａ線に沿う断面図である。
【図８】図６の圧電素子２２に対して周期的な駆動電圧を印加した際の防塵フィルタ２１及び圧電素子２２の状態変化を示しており、図６のＢ−Ｂ線に沿う断面図である。
【図９】図６と同様にカメラ１における撮像ユニット１５のうち防塵フィルタ２１及びこれに一体に設けられる圧電素子２２のみを取り出して示す正面図である。
【図１０】図９の圧電素子２２に対して二次振動を発生させるための周期的な電圧を印加した際の防塵フィルタ２１及び圧電素子２２の状態変化を示しており、図９のＡ−Ａ線に沿う断面図である。
【図１１】図９の圧電素子２２に対して二次振動を発生させるための周期的な電圧を印加した際の防塵フィルタ２１及び圧電素子２２の状態変化を示しており、図９のＢ−Ｂ線に沿う断面図である。
【図１２】本電子撮像装置における撮像ユニットのうち防塵フィルタに振動を与える加振手段の構成を概念的に示す図である。
【図１３】防塵フィルタ２１に発生する屈曲進行波振動（山Ｙと谷Ｔとが交互に等間隔、等振幅で生じる振動）のようすを示す図である。
【図１４】図２で説明した本電子撮像装置１における防塵フィルタ駆動回路１４０の構成を概略的に示す回路図である。
【図１５】図１４の防塵フィルタ駆動回路１４０における各構成部材から出力される各信号形態を示すタイムチャートである。
【図１６】本発明の第１実施形態に係るカメラシステムにおけるＢｕｃｏｍ１５０の動作を説明するためのフローチャートである。
【図１７】本発明の第２実施形態に係るカメラシステムにおけるＢｕｃｏｍ１５０の動作を説明するためのフローチャートである。
【図１８】本発明の第３実施形態に係るカメラシステムにおけるＢｕｃｏｍ１５０の動作を説明するためのフローチャートである。
【符号の説明】
１…カメラ、１１…カメラ本体、１１ａ…撮影光学系装着部、１２…レンズユニット、１２ａ…撮影光学系、１３…ファインダ装置、１３ａ…ペンタプリズム、１３ｂ…反射鏡、１３ｃ…接眼レンズ、１４…シャッタ部、１５…撮像ユニット、１６…主回路基板、１７…レリーズボタン、２１…防塵フィルタ、２７…撮像素子、２８…画像処理コントローラ、１４０…防塵フィルタ駆動回路、１５０…ボディ制御用マイクロコンピュータ（Ｂｕｃｏｍ）、２０５…レンズ制御用マイクロコンピュータ（Ｌｕｃｏｍ）。
【図１】
2004253873.tif 000003
【図２】
2004253873.tif 000004
【図３】
2004253873.tif 000005
【図４】
2004253873.tif 000006
【図５】
2004253873.tif 000007
【図６】
2004253873.tif 000008
【図７】
2004253873.tif 000009
【図８】
2004253873.tif 000010
【図９】
2004253873.tif 000011
【図１０】
2004253873.tif 000012
【図１１】
2004253873.tif 000013
【図１２】
2004253873.tif 000014
【図１３】
2004253873.tif 000015
【図１４】
2004253873.tif 000016
【図１５】
2004253873.tif 000017
【図１６】
2004253873.tif 000018
【図１７】
2004253873.tif 000019
【図１８】
2004253873.tif 000020